(57)【要約】【課題】圧力損失を抑制しつつ、良好な熱交換性能を得ることが可能な熱交換器を提供する。【解決手段】熱交換器１１０は、流体が流通可能な管１１１と、管１１１の内面に沿って設けられ、流体の流通方向を変化させる螺旋状構造体１１２と、管１１１の内部で管１１１の長手方向に沿って延びるシャフト１１３と、を有する。【選択図】図２
2018080843.tif 000002
【特許請求の範囲】
【請求項１】
流体が流通可能な管と、
前記管の内面に設けられ、前記流体の流通方向を変化させる突部と、
前記管の内部で前記管の長手方向に沿って延びるシャフトと、を有する、
熱交換器。
【請求項２】
前記管は、断面形状が円形の円管であり、
前記突部は、前記円管の内面に沿って延び、前記円管の長手方向の位置に応じて円周方向の位置が変化する螺旋状に形成されている、
請求項１記載の熱交換器。
【請求項３】
前記突部は、円周方向において複数に分割されている。
請求項２記載の熱交換器。
【発明の詳細な説明】
【技術分野】
【０００１】
本開示は、流体の熱交換を行う熱交換器に関する。
【背景技術】
【０００２】
特許文献１、２は、流体の熱交換を行う熱交換器を開示している。特許文献１、２では、管の内部に、管の長さ方向に延びる帯板を捻って形成した捻り板を挿入し、これにより熱交換を促進させる構成を開示している。
【先行技術文献】
【特許文献】
【０００３】
【特許文献１】特開平１１−２３１８０号公報
【特許文献２】実開平７−４１２７０号公報
【発明の概要】
【発明が解決しようとする課題】
【０００４】
特許文献１、２の構成では、管の内部を流れる流体の圧力損失が大きくなる。圧力損失が小さい冷却管として、従来、管の外周面において管の長手方向に間隔を空けて複数のフィンを配列したものが存在しているが、熱交換性能が低い。
【０００５】
本開示は、圧力損失を抑制しつつ、良好な熱交換性能を得ることが可能な熱交換器を提供する。
【課題を解決するための手段】
【０００６】
本開示の熱交換器は、
流体が流通可能な管と、
前記管の内面に設けられ、前記流体の流通方向を変化させる突部と、
前記管の内部で前記管の長手方向に沿って延びるシャフトと、を有する。
【発明の効果】
【０００７】
本開示の熱交換器は、管の内部に突部とシャフトが存在しない場合よりも、管の壁面近傍に流れが誘導されるため、管内を流れる流体と管の内面との摩擦が増加して、熱交換が促進される。一方、管内に捻り板等を設ける場合よりも、管内部の圧力損失を小さくできる。そのため、圧力損失の発生を抑制しつつ、良好な熱交換性能を得ることができる。
【図面の簡単な説明】
【０００８】
【図１】本開示の熱交換器を適用した冷却装置の構成図である。
【図２】実施形態１の熱交換器の構造を示す図である。
【図３】実施形態１の熱交換器のシャフトの支持構造の第１例を示す図である。
【図４】実施形態１の熱交換器のシャフトの支持構造の第２例を示す図である。
【図５】実施形態１の熱交換器による作用を説明する図である。
【図６】実施形態１の熱交換器による冷却性能のシミュレーション結果を示す図である。
【図７】比較例の熱交換器の構造を示す図である。
【図８】比較例の熱交換器による冷却性能のシミュレーション結果を示す図である。
【図９】実施形態２の熱交換器の構造を示す図である。
【図１０】実施形態２の熱交換器による冷却性能のシミュレーション結果を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面および以下の説明を提供するのであって、これらによって特許請求の範囲に記載の主題を限定することを意図するものではない。
【００１１】
（実施形態１）
本開示にかかる熱交換器を説明する。
【００１２】
［１−１．構成］
［１−１−１．冷却装置の構成］
図１は、本開示の熱交換器を適用した機器の構成図である。機器１００は、動作時に熱を発生する負荷装置１０１と、ラジエータ１０２と、ラジエータ１０２及び負荷装置１０１に流体を循環させるポンプ１０３とを有する。機器１００は、例えば、映像を投影可能なプロジェクタ装置であり、負荷装置１０１は、例えば、蛍光体ディスクを内蔵する筐体ユニット、又は半導体レーザ等を有する光源モジュールなどである。ラジエータ１０２は、冷却素子として、本開示の熱交換器としての熱交換器１１０を有する。
【００１３】
［１−１−２．熱交換器の構成］
図２は、実施形態１の熱交換器の構造を示す図である。図２（ａ）は、熱交換器をその長手方向に垂直な方向から見た図である。図２（ｂ）は、熱交換器をその長手方向に平行な方向（図２（ａ）のＡ方向）から見た図である。
【００１４】
熱交換器１１０は、管１１１と、螺旋状構造体（突部）１１２と、シャフト１１３とを有する。熱交換器１１０は、管１１１の外側にある低温の流体によって、管１１１を冷却し、さらに管１１１内を流れる流体を冷却する。流体は、気体である。なお、本開示において、熱交換器が冷却する流体は液体でもよい。
【００１５】
管１１１は、断面形状が円形の円管である。管１１１は、直線的に延びる。管１１１は、金属により形成されている。例えば、アルミニウムや銅等の熱伝導性のよい金属が用いられる。
【００１６】
螺旋状構造体１１２は、管１１１の内面に沿って延び、管１１１の長手方向の位置に応じて円周方向の位置が変化する螺旋状に形成されている、螺旋状構造体１１２は、管１１１の内面において、ほぼ１周する範囲に設けられている。螺旋状構造体１１２の高さ（径方向の長さ）は、管の内径（半径）に対して、約１／３程度の高さである。なお、螺旋状構造体１１２の高さ（径方向の長さ）は、許容される圧力損失の大きさ等に応じた値に設定すればよい。螺旋状構造体１１２は、管１１１とは別部材により構成されている。螺旋状構造体１１２は、金属あるいは樹脂により形成されている。金属の種類や樹脂の種類は限定されない。螺旋状構造体１１２は、ろう付け、あるいは接着剤等により管１１１の内面に固着されている。螺旋状構造体１１２は、その長手方向に垂直な断面形状が半円状の形状を有する。
【００１７】
シャフト１１３は、棒状の部材であり、管１１１の中心において、管１１１の長手方向に沿って直線的に延びる。シャフト１１３は、管１１１の長手方向において螺旋状構造体１１２が存在する領域とほぼ同じ領域に配置されている。シャフト１１３は、金属あるいは樹脂により形成されている。金属の種類や樹脂の種類は限定されない。
【００１８】
シャフト１１３の支持構造について説明する。
【００１９】
図３は、実施形態１の熱交換器のシャフトの支持構造の第１例を示す図である。図３（ａ）は、熱交換器の斜視図である。図３（ｂ）は、熱交換器をその長手方向に平行な方向（図３（ａ）のＢ方向）から見た図である。シャフト１１３の一端部（管１１１の入口側の端部）には、シャフト１１３の長手方向に対して垂直な方向に延びる支持シャフト１１４が固着されている。支持シャフト１１４は、管１１１の内径とほぼ同じ長さを有し、支持シャフト１１４の長手方向が管１１１の長手方向に対して垂直となるように、長手方向の両端部が管１１１の内面に接着剤等により固着されている。これにより、シャフト１１３は、管１１１の中心線に沿って直線的に延びた状態で、支持シャフト１１４を介して管１１１により支持される。
【００２０】
図４は、実施形態１の熱交換器のシャフトの支持構造の第２例を示す図である。図４（ａ）は、熱交換器の斜視図である。図４（ｂ）は、熱交換器をその長手方向に平行な方向（図４（ａ）のＣ方向）から見た図である。シャフト１１３の一端部（管１１１の入口側の端部）には、円盤１１５が固着されている。円盤１１５の主面は、シャフト１１３の長手方向に対して垂直になっている。円盤１１５は、管１１１の内径とほぼ同じ直径を有し、円盤１１５の主面が管１１１の長手方向に対して垂直となるように、周縁部が管１１１の内面に接着剤等により固着されている。これにより、シャフト１１３は、管１１１の中心線に沿って直線的に延びた状態で、円盤１１５を介して管１１１により支持される。円盤１１５には、流体が通過可能な複数の孔１１５ａが設けられている。
【００２１】
［１−２．作用］
図５を参照して実施形態１の熱交換器１１０による作用を説明する。図５は、実施形態１の熱交換器１１０による作用を説明する図である。入口（Ｉｎ）側から熱交換器１１０の管１１１内に流体が流入すると、管１１１の内面近傍を流れる流体は、螺旋状構造体１１２により、管１１１の長手方向に平行な方向への進行が遮られ、その結果、螺旋状構造体１１２に沿って円周方向に回転しながら出口（Ｏｕｔ）側へ進行する旋回流Ｗが生じる。これにより、流れが乱れて、かつ、管１１１の内面近傍に流れが誘導されるため、高温の流体とそれよりも低温の管１１１の内面との摩擦が増加する。その結果、管１１１内部の流体と管１１１の外部の気体との熱交換が促進される。さらに、本実施形態では、管１１１の中心線に沿ってシャフト１１３が設けられていることにより、管１１１の内面に沿う旋回流Ｗの形成が促進される。そのため、高温の流体とそれよりも低温の管１１１の内面との摩擦がより増加し、上記の熱交換がより促進される。そのため、管１１１内部の流体の温度の低下が促進される。
【００２２】
ここで、本実施形態では、特許文献１、２のように管内の流体の流通路全体に嵌まるように捻り板を設けているわけではない。そのため、特許文献１、２に記載の熱交換器よりも圧力損失を抑制することができる。
【００２３】
なお、実施形態１の熱交換器１１０からシャフト１１４及び支持シャフト１１４（円盤１１５）を無くし、かつ管１１１の内径を小さくすることにより、流体と管１１１の内面との摩擦を増加させた構成が考えられる。しかし、この構成においては、管１１１の長手方向における旋回流Ｗの長さは、実施形態１の熱交換器１１０よりも短くなる。そのため、この構成の場合の熱交換性能は、実施形態１の熱交換器１１０よりも劣ることとなる。
【００２４】
［１−３．シミュレーション］
［１−３−１．本実施形態の熱交換器におけるシミュレーション結果］
図６は、実施形態１の熱交換器による冷却性能のシミュレーション結果を示す図である。具体的に、図６（ａ）は、実施形態１の熱交換器における流体温度のシミュレーション結果を示す図である。なお、本シミュレーションは、支持シャフト１１４及び円盤１１５が存在しない状態で行った。本実施形態の熱交換器１１０では、熱交換器１１０の入口（Ｉｎ）における流体温度が６０℃であるときに、熱交換器１１０の出口（Ｏｕｔ）における流体温度が５４．４℃となる。そのため、温度低下量ΔＴは５．６℃となる。
【００２５】
図６（ｂ）は、実施形態１の熱交換器１１０における流体圧力のシミュレーション結果を示す図である。実施形態１の熱交換器１１０では、熱交換器１１０の入口（Ｉｎ）における流体圧力が２４．３Ｐａであるときに、熱交換器１１０の出口（Ｏｕｔ）における流体圧力が０．６Ｐａとなる。そのため、圧力損失量ΔＰは２３．７Ｐａとなる。
【００２６】
ところで、熱交換器の性能は、ΔＴが大きいほど良く、またΔＰが小さいことが望ましい。つまり熱交換の性能指標をΦ（＝ΔＴ／ΔＰ）とおくと、熱交換性能指標Φの値が大きいほど、熱交換器としては高性能といえる。図５の構成において、熱交換性能指標Φは０．２３６となる。
【００２７】
［１−３−２．比較例の熱交換器の構造及びシミュレーション結果］
図７は、比較例の熱交換器の構造を示す図である。図７に示すように、比較例における熱交換器２１０は、管２１１と、複数のフィン２１２とを有する。複数のフィン２１２は、管２１１の外周面に、管２１１の長手方向に間隔を空けて配列されている。
【００２８】
図８は、比較例の熱交換器による冷却性能のシミュレーション結果を示す図である。具体的に、図８（ａ）は、比較例の熱交換器における流体温度のシミュレーション結果を示す図である。比較例の熱交換器２１０では、熱交換器２１０の入口（Ｉｎ）における流体温度が６０℃であるときに、熱交換器２１０の出口（Ｏｕｔ）における流体温度が５９．９℃となる。そのため、温度低下量ΔＴは０．１℃となる。
【００２９】
図８（ｂ）は、比較例の熱交換器における流体圧力のシミュレーション結果を示す図である。比較例の熱交換器２１０では、熱交換器２１０の入口（Ｉｎ）における流体圧力が６．５Ｐａであるときに、熱交換器２１０の出口（Ｏｕｔ）における流体圧力が０．１Ｐａとなる。そのため、圧力損失量ΔＰは６．４Ｐａとなる。
【００３０】
したがって、熱交換性能指標Φ（＝ΔＴ／ΔＰ）は０．０１５６となる。
【００３１】
［１−３−３．評価］
本実施形態の熱交換器１１０の熱交換性能指標Φは０．２３６であるのに対し、比較例の熱交換器２１０の熱交換性能指標Φは０．０１５６である。本実施形態の熱交換器１１０によれば、熱交換器１１０の熱交換性能指標Φは、比較例の熱交換器２１０の熱交換性能指標Φに対して約１５倍の大きな値となる。つまり、熱交換性能が大きく向上する。
［１−３．効果等］
本開示の熱交換器１１０は、
流体が流通可能な管１１１と、
管１１１の内面に沿って設けられ、流体の流通方向を変化させる螺旋状構造体１１２（突部）と、
管１１１の内部で管１１１の長手方向に沿って延びるシャフト１１３と、を有する。
【００３２】
これにより、管１１１の内部に螺旋状構造体１１２とシャフト１１３が存在しない場合よりも、管１１１の内面近傍に流れが誘導されるため、管１１１内を流れる流体と管１１１の内面との摩擦が増加して、熱交換が促進される。特に、本実施形態では、管１１１内を流れる高温の流体とそれよりも低温の管１１１の内面との摩擦が増加して、管１１１内の流体の冷却が促進される。一方、管１１１内に特許文献１、２のように捻り板等を設ける場合よりも、管１１１内部の圧力損失を少なくできる。そのため、圧力損失の発生を抑制しつつ、良好な熱交換性能を得ることができる。
【００３３】
本実施形態において、
管は、断面形状が円形の管１１１であり、
螺旋状構造体１１２は、管１１１の内面に沿って延び、管１１１の長手方向の位置に応じて円周方向の位置が変化する螺旋状に形成されている。
【００３４】
これにより、流体に旋回流Ｗを生じさせて、管１１１内を流れる高温の流体とそれよりも低温の管１１１の内面との摩擦を増加させることができる。そのため、熱交換性能がより向上する。
【００３５】
（実施形態２）
実施形態２に係る熱交換器について説明する。図９（ａ）は、熱交換器をその長手方向に垂直な方向（図９（ｂ）のＥ方向）から見た図である。図９（ｂ）は、熱交換器をその長手方向に平行な方向（図９（ａ）のＤ方向）から見た図である。
【００３６】
本実施形態の熱交換器１２０においては、螺旋状構造体１２２Ａ、１２２Ｂ、１２２Ｃの高さ（径方向の長さ）は、それぞれ、管の内径（半径）に対して、約２／３程度の高さであり、実施形態１の螺旋状構造体１１２の高さ（径方向の長さ）よりも大きい。また、螺旋状構造体１２２Ａ、１２２Ｂ、１２２Ｃは、管１２１の内面に沿うほぼ１周する範囲の全てに設けられるのではなく、円周方向において複数に分割され、第１所定角度間隔で設けられている。各螺旋状構造体１２２Ａ、１２２Ｂ、１２２Ｃは、円周方向において第２所定角度の範囲に形成されている。具体的に、本実施形態では、第１所定角度は６０度、第２所定角度は６０度としている。それ以外は、実施形態１と同一である。
【００３７】
図１０（ａ）は、実施形態２の熱交換器における流体温度のシミュレーション結果を示す図である。本実施形態の熱交換器１２０では、熱交換器１２０の入口（Ｉｎ）における流体温度が６０℃であるときに、熱交換器１２０の出口（Ｏｕｔ）における流体温度が５５．２℃となる。そのため、温度低下量ΔＴは４．８℃となる。
【００３８】
図１０（ｂ）は、実施形態２の熱交換器における流体圧力のシミュレーション結果を示す図である。本実施形態の熱交換器１２０では、熱交換器１２０の入口（Ｉｎ）における流体圧力が２９．０Ｐａであるときに、熱交換器１２０の出口（Ｏｕｔ）における流体圧力が−０．４Ｐａとなる。そのため、圧力損失量ΔＰは２９．４Ｐａとなる。
【００３９】
したがって、熱交換性能指標Φ（＝ΔＴ／ΔＰ）は０．１６３となる。
【００４０】
本実施形態の熱交換器１２０の熱交換性能指標Φは０．１６３であるのに対し、比較例の熱交換器２１０の熱交換性能指標Φは０．０１５６である。本実施形態の熱交換器１２０によれば、熱交換器１２０の熱交換性能指標Φは、比較例の熱交換器２１０の熱交換性能指標Φに対して約１０．５倍大きな値となる。つまり、熱交換性能が大きく向上する。
【００４１】
以上説明したように、本実施形態の熱交換器１２０において、
螺旋状構造体１２２は、円周方向において複数に分割されている。
【００４２】
これにより、管１２１内の一部において流体を流通しにくくさせて、流体と管１２１の内面との摩擦を増加させることができる。そのため、熱交換性能が向上する。
【００４３】
本実施形態では、第１所定角度及び第２所定角度はそれぞれ６０度であるが、第１所定角度と第２所定角度とは異なる角度であってもよいし、６０度より大きい角度あるいは小さい角度であってもよい。また、分割数は、３個でなく、２個であってもよいし、４個以上であってもよい。
【００４４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
そこで、以下、他の実施の形態を例示する。
【００４５】
前記実施形態では、管の内面に沿って設けられた突部は、螺旋状構造体である。しかし、本開示において、突部は、螺旋状の構造体でなく、管の内面に沿って規則的にあるいは不規則に蛇行する構造体であってもよい。
【００４６】
前記実施形態では、管１１１は、断面形状が円形の円管である。しかし、本開示において、管は円管でなくてもよい。例えば、管は、断面形状が楕円の楕円管でもよい。また、管は、断面形状が多角形の管でもよい。
【００４７】
前記実施形態では、熱交換器１１０は、管１１１内を流れる高温の流体と、それよりも低温の管１１１外の気体（液体）との間の熱交換を行う。しかし、本開示において、低温側と高温側が逆であってもよい。例えば、本開示の熱交換器は、管内を流れる低温の流体と、それよりも高温の管外の気体（液体）との間の熱交換を行うことができる。
【００４８】
以上のように、本開示における技術の例示として、実施の形態を説明した。そのために、添付図面および詳細な説明を提供した。
【００４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施の形態は、本開示における技術を例示するためのものであるから、特許請求の範囲またはその均等の範囲において種々の変更、置き換え、付加、省略などを行うことができる。
【産業上の利用可能性】
【００５１】
本開示は、流体の熱交換を行う熱交換器において広く利用可能である。
【符号の説明】
【００５２】
１００  機器
１０１  負荷装置
１０２  ラジエータ
１０３  ポンプ
１１０、１２０  熱交換器
１１１、１２１  管
１１２  螺旋状構造体
１１３、１２３  シャフト
１１４  支持シャフト
１１５  円盤
１１５ａ  孔
１２２Ａ、１２２Ｂ、１２２Ｃ  螺旋状構造体
Ｗ  旋回流
【図１】
2018080843.tif 000003
【図２】
2018080843.tif 000004
【図３】
2018080843.tif 000005
【図４】
2018080843.tif 000006
【図５】
2018080843.tif 000007
【図６】
2018080843.tif 000008
【図７】
2018080843.tif 000009
【図８】
2018080843.tif 000010
【図９】
2018080843.tif 000011
【図１０】
2018080843.tif 000012